(57)【要約】【課題】輸液容器を覆って収納可能な遮光袋において、開口部が小さく、外部からの光の影響を受けることの少ない遮光袋を提供することを課題とする。【解決手段】遮光袋の上辺シール部もしくは上辺シール部の外側には吊り下げ用穴が設けられ、遮光袋の下辺は、輸液容器を遮光袋に収納した後に、下辺シール部で密封されており、前側胴部には、前側胴部から先端部を有して張り出した分岐が形成されており、分岐は、折り返し線で、前側胴部の下方に折り返し可能に、前側胴部上方から連続する積層体と、前側胴部下方から連続する積層体とが重なって、側端部および先端部をシールされてなり、分岐の先端部のシール部分には開封線が設けられ、非シール部分には、輸液容器の口部を露出させるための開封予定線が、輸液容器が落下しない大きさに、設けられていることを特徴とする遮光袋。【選択図】図１
2019216833.tif 000002
【特許請求の範囲】
【請求項１】
輸液バッグもしくは輸液容器を、その内容液導出のための口部を下にして、内部に収容する遮光袋であって、
該遮光袋は、遮光性を有する層を含んで、プラスチックフィルムを基材とした積層体からなり、
該積層体からなる遮光袋胴部は、前側胴部および後ろ側胴部からなり
該遮光袋の上辺は上辺シール部で密封され、上辺シール部もしくは上辺シール部の外側には吊り下げ用穴が設けられ、
左右の側辺はシールで密封されており、
該遮光袋の下辺は、輸液バッグもしくは輸液容器を遮光袋に収納した後に、下辺シール部で密封されており、
該前側胴部には、前側胴部から先端部を有して張り出した分岐が形成されており、
該分岐は、分岐の折り返し線で、前側胴部の下方に折り返し可能に、前側胴部上方から連続する積層体と、前側胴部下方から連続する積層体とが重なって、側端部および先端部をシールされてなり、
該分岐の先端部のシール部分は、分岐幅方向を密封すると同時に、その左右中央部分において、分岐内側から外側にむけて、非シール部分が凸である形状に設けられており、
該分岐の先端部のシール部分には開封線が設けられ、非シール部分には、輸液バッグもしくは輸液容器の口部を露出させるための開封予定線が、輸液バッグもしくは輸液容器が落下しない大きさに設けられていることを特徴とする、遮光袋。
【請求項２】
前記分岐の折り返し線から遮光袋上辺までの遮光袋内側の長さは、輸液バッグもしくは輸液容器の高さより長くなるようシールされ、製袋されていることを特徴とする、請求項１に記載の遮光袋。
【請求項３】
前記分岐の折り返し線から遮光袋下辺までの遮光袋内側の長さは、前記分岐の折り返し線から分岐の先端部外側までの長さより長くなるようシールされ、製袋されていることを特徴とする、請求項１または請求項２に記載の遮光袋。
【請求項４】
前記開封線、および開封予定線は、易開封機構を備えるものであることを特徴とする、請求項１〜請求項３のいずれかに記載の遮光袋。
【発明の詳細な説明】
【技術分野】
【０００１】
本発明は遮光袋に関するものである。特に医療・介護現場などで用いられる、輸液バッグ用の遮光袋に関するものである。
【背景技術】
【０００２】
点滴用の輸液バッグ、あるいは輸液容器において、投与する際に遮光が必要になる場合がある。たとえば、紫外線によるビタミンの光分解を防止したり、光に対して不安定な薬物において、投与する際に輸液バッグ、あるいは輸液容器、さらに必要に応じて輸液経路全般への遮光が必要になる。
【０００３】
このような場合に、輸液バッグ、あるいは輸液容器への外層袋として、遮光袋を被せて使用することが行なわれている。
【０００４】
しかしながら、一般に薬液の投与は、輸液バッグ、あるいは輸液容器をフックに吊り下げて輸液のチューブを経て投与する方法がとられる。そのため、輸液バッグ、あるいは輸液容器にはフックに吊り下げるための穴が設けてある。したがって輸液バッグ、あるいは輸液容器と同様に、吊り下げのための穴を露出させるための開口部を、外層袋である遮光袋にも設ける必要がある。
【０００５】
特許文献１には、輸液バッグ用の輸液容器外層袋の提案があるが、吊り下げに際しては外層袋の上部を大きく切り取る方式であるために、開口部から外光が輸液バックに当るおそれがあって、外光の内容液に対する影響を遮断する目的に対しては十分とは言えず、改善が求められている。
【先行技術文献】
【特許文献】
【０００６】
【特許文献１】特開２０１１−１０４３３１号公報
【発明の概要】
【発明が解決しようとする課題】
【０００７】
本発明はかかる状況に鑑みてなされたものであり、輸液バッグもしくは輸液容器を覆って収納可能な遮光袋において、開口部が小さく、外部からの光の影響を受けることの少ない遮光袋を提供することを課題とする。
【課題を解決するための手段】
【０００８】
上記の課題を解決するための手段として、請求項１に記載の発明は、
輸液バッグもしくは輸液容器を、その内容液導出のための口部を下にして、内部に収容する遮光袋であって、
該遮光袋は、遮光性を有する層を含んで、プラスチックフィルムを基材とした積層体からなり、
該積層体からなる遮光袋胴部は、前側胴部および後ろ側胴部からなり
該遮光袋の上辺は上辺シール部で密封され、上辺シール部もしくは上辺シール部の外側には吊り下げ用穴が設けられ、
左右の側辺はシールで密封されており、
該遮光袋の下辺は、輸液バッグもしくは輸液容器を遮光袋に収納した後に、下辺シール部で密封されており、
該前側胴部には、前側胴部から先端部を有して張り出した分岐が形成されており、
該分岐は、分岐の折り返し線で、前側胴部の下方に折り返し可能に、前側胴部上方から連続する積層体と、前側胴部下方から連続する積層体とが重なって、側端部および先端部をシールされてなり、
該分岐の先端部のシール部分は、分岐幅方向を密封すると同時に、その左右中央部分において、分岐内側から外側にむけて、非シール部分が凸である形状に設けられており、
該分岐の先端部のシール部分には開封線が設けられ、非シール部分には、輸液バッグもしくは輸液容器の口部を露出させるための開封予定線が、輸液バッグもしくは輸液容器が落下しない大きさに設けられていることを特徴とする、遮光袋である。
【０００９】
また、請求項２に記載の発明は、
前記分岐の折り返し線から遮光袋上辺までの遮光袋内側の長さは、輸液バッグもしくは輸液容器の高さより長くなるようシールされ、製袋されていることを特徴とする、請求項１に記載の遮光袋である。
【００１０】
また、請求項３に記載の発明は、
前記分岐の折り返し線から遮光袋下辺までの遮光袋内側の長さは、前記分岐の折り返し線から分岐の先端部外側までの長さより長くなるようシールされ、製袋されていることを特徴とする、請求項１または請求項２に記載の遮光袋である。
【００１１】
また、請求項４に記載の発明は、
前記開封線、および開封予定線は、易開封機構を備えるものであることを特徴とする、請求項１〜請求項３のいずれかに記載の遮光袋である。
【発明の効果】
【００１２】
本発明によれば、輸液バッグもしくは輸液容器を覆って収納可能な遮光袋において、開口部が小さく、外部からの光の影響を受けることの少ない遮光袋を提供することが可能である。
【００１３】
すなわち、吊り下げのための開口部は遮光袋上部においては、遮光袋の吊り下げ用穴を用いるために、開封して開口部を設けることを必要とせず、また遮光袋下部においては、分岐の一部にチューブとの接続のために、開口部を形成するのみであるから、輸液バッグもしくは輸液容器に対する外光の影響を、極めて限定的なものにとどめることが可能である。
【００１４】
特に請求項２に記載の発明によれば、分岐の折り返し線から遮光袋上辺までの遮光袋内側の長さは、輸液バッグもしくは輸液容器の高さより長くなるようシールされ、製袋されていることによって、輸液バッグもしくは輸液容器を、遮光袋の中に収納した後、定位置に異動させることを、容易かつ安定的に行なうことができ、特に輸液バッグもしくは輸液容器を収納する際の作業性において優れた遮光袋とすることができる。
【００１５】
特に請求項３に記載の発明によれば、分岐の折り返し線から遮光袋下辺までの遮光袋内側の長さが、分岐の折り返し線から分岐の先端部外側までの長さより長くなるようシールされ、製袋されていることによって、輸液バッグもしくは輸液容器を遮光袋に収納した後、遮光袋下辺をシールによって密封する作業が、分岐によって妨げられることなく、より効率的かつ安定的に行なうことが可能になる点において優れた遮光袋とすることができる。
【００１６】
特に請求項４に記載の発明によれば、開封線、および開封予定線は、易開封機構を備えるものであることによって、遮光袋の開封および開口部の形成が、手指による方法で可能になり、より使い勝手のよい遮光袋とすることが可能である。
【図面の簡単な説明】
【００１７】
【図１】図１は本発明に係る遮光袋の一実施態様の外観を説明するための、平面（一部斜視）模式図である。
【図２】図２は本発明に係る遮光袋の一実施態様を説明し、輸液バッグもしくは輸液容器を、遮光袋に収容する状態を説明するための、平面（一部透視、一部斜視）模式図である。
【図３】図３は本発明に係る遮光袋の一実施態様を説明し、輸液バッグもしくは輸液容器を、遮光袋に収容した状態を説明するための、平面（一部透視、一部斜視）模式図である。
【図４】図４は本発明に係る遮光袋の一実施態様を説明し、輸液バッグもしくは輸液容器を、遮光袋に収容した次の状態を説明するための、平面（一部透視、一部斜視）模式図である。
【図５】図５は本発明に係る遮光袋の一実施態様を説明し、輸液バッグもしくは輸液容器を、遮光袋の分岐部分に収容した状態を説明するための、平面（一部透視、一部斜視）模式図である。
【図６】図６は本発明に係る遮光袋の一実施態様を説明し、輸液バッグもしくは輸液容器を、遮光袋に収容したのち開封し、吊り下げおよび内容液の導出可能な状態を説明するための、遮光袋を側面から見た状態の平面（一部透視）模式図である。
【発明を実施するための形態】
【００１８】
以下、本発明を図１〜図６を参照しながら、更に詳しい説明を加える。ただし本発明は、ここに示す例にのみ限定されるものではない。本発明は、請求項によって限定されるものである。
【００１９】
図１は本発明に係る遮光袋の一実施態様の外観を説明するための、平面（一部斜視）模式図である。
【００２０】
本発明による遮光袋（１００）は、輸液バッグもしくは輸液容器を、その内容液導出のための口部を下にして、内部に収容する遮光袋（１００）である。また、遮光袋（１００）は、遮光性を有する層を含んで、プラスチックフィルムを基材とした積層体から構成される。
【００２１】
ここで、基材とするプラスチックフィルムは、高分子樹脂組成物からなるフィルムであって、たとえばポリオレフィン（ポリエチレン、ポリプロピレン等）、ポリエステル（ポリエチレンテレフタレート、ポリブチレンテレフタレート、ポリエチレンナフタレート等）、ポリアミド（ナイロンー６、ナイロンー６６等）、ポリイミドなどが使用でき、用途に応じて適宜選択される。
【００２２】
特にポリプロピレン、ポリエチレンテレフタレートを基材フィルムとする場合は、フィルム強度と価格においてより好ましい。また、積層体中にポリアミドフィルムを用いる場合には、耐突き刺し性や、耐衝撃性、機械強度に優れる。
【００２３】
積層体には、製袋のためのシーラント層が含まれ、また遮光性を有する層は、たとえばアルミニウム箔などの金属箔層、プラスチックフィルムに着色層を設けるなどした隠蔽層からなる。これによって、外光、特に紫外線が、遮光袋（１００）内部に侵入することを回避することが可能である。
【００２４】
プラスチックフィルムに着色層を設ける方法について、特段の制約を設けるものではないが、たとえば印刷やコーティングの手法を用いて、光学的に不透明な層を形成すること
が可能である。
【００２５】
また、特定の波長の外光を遮光して、内容液を保護することが可能な場合には、特定の波長に対する遮光性を有する層を設けるのでもよい。
【００２６】
また、シーラント層の材質としては、熱可塑性樹脂のうちポリオレフィン系樹脂が一般的に使用され、具体的には、低密度ポリエチレン樹脂（ＬＤＰＥ）、中密度ポリエチレン樹脂（ＭＤＰＥ）、直鎖状低密度ポリエチレン樹脂（ＬＬＤＰＥ）、エチレン−酢酸ビニル共重合体（ＥＶＡ）、エチレン−αオレフィン共重合体、エチレン−メタアクリル酸樹脂共重合体などのエチレン系樹脂を用いることができる。
【００２７】
あるいは、ホモポリプロピレン樹脂（ＰＰ）、プロピレン−エチレンランダム共重合体、プロピレン−エチレンブロック共重合体、プロピレン−αオレフィン共重合体などのポリプロピレン系樹脂等を使用することができる。
【００２８】
シーラント層の形成には、押出機などを用いて溶融した樹脂を製膜して、積層体上に層形成することができる。あるいは、あらかじめフィルムの状態に製膜してある材料を、接着剤を用いたラミネート等によって積層することによって、積層体の表面にシーラント層を形成することも可能である。
【００２９】
積層体からなる遮光袋胴部（１１）は、前側胴部（１２）および後ろ側胴部（１３）からなり、遮光袋（１００）の上辺（１０）は上辺シール部（１）で密封され、上辺シール部（１）もしくは上辺シール部（１）の外側には、吊り下げ用穴（２）が設けられている。
【００３０】
この吊り下げ用穴（２）は、輸液バッグもしくは輸液容器を、その内容液導出のため、すなわち点滴などの用途に供される場合において、吊り下げ用フックにこの吊り下げ用穴（２）を用いて吊り下げることができる。
【００３１】
図１に示す例において、吊り下げ用穴（２）は、上辺シール部（１）に設けられる例であるが、上辺シール部（１）のさらに外側に積層体の未シール部がある場合には、その未シール部に吊り下げ用穴（２）を設けるのでもよい。
【００３２】
遮光袋（１００）の左右の側辺は側辺シール部（３）で密封されており、下辺（１４）は下辺シール部（４）で密封されている。このシールによる密封は、下辺（１４）を収納口として、遮光袋（１００）内部に輸液バッグもしくは輸液容器を収納した後に行われる。
【００３３】
前側胴部（１２）には、前側胴部（１２）から先端部（１７）を有して張り出した分岐（５）が形成されており、分岐（５）は、分岐の折り返し線（１５）で、前側胴部（１２）の下方に折り返し可能に、前側胴部（１２）上方から連続する積層体と、前側胴部（１２）下方から連続する積層体とが重なって、側端部シール部（６）および先端部シール部（７）で密封されてなる。
【００３４】
分岐（５）の先端部シール部（７）は、分岐（５）幅方向を密封すると同時に、その左右中央部分において、分岐（５）内側から外側にむけて、非シール部分が凸である形状に設けられる。
【００３５】
また、分岐（５）の先端部シール部（７）には開封線（８）が設けられ、非シール部分には、輸液バッグもしくは輸液容器の口部を露出させるための開封予定線（９）が、輸液
バッグもしくは輸液容器が落下しない大きさに設けられる。
【００３６】
図１に示す例においては、先端部シール部（７）には、先端部（１７）を開封して開口部を設けるための、切込み（１６）およびそれに連続して開封線（８）が設けられており、実際の開口部の形成は、分岐（５）の非シール部に設けられた開封予定線（９）を切り裂いて行なう。
【００３７】
この開封は、切込み（１６）をきっかけとして、それに続く、分岐（５）の先端部シール部（７）に設けられた開封線（８）、および分岐（５）の非シール部に設けられた開封予定線（９）に沿って、刃物等を用いて切り裂いて行なうことができ、それらに易開封機構が備えられている場合には、手指による開封も可能である。
【００３８】
この開封予定線（９）は、輸液バッグもしくは輸液容器の口部を外部に露出させるための、開封予定線（９）であって、遮光袋（１００）を先端部（１７）の開封予定線（９）で開封して開口部を形成したときに、輸液バッグもしくは輸液容器の口部と、内容液導出のためのチューブとの接続が可能で、かつ輸液バッグもしくは輸液容器が落下しない大きさに設けられる。
【００３９】
図２は本発明に係る遮光袋の一実施態様を説明し、輸液バッグもしくは輸液容器を、遮光袋に収容する状態を説明するための、平面（一部透視、一部斜視）模式図である。
【００４０】
図２に示す状態においては、遮光袋（１００）の下辺（１４）は、未だシールされておらず、輸液容器（２０）を、この開口部から遮光袋（１００）内部へと収納することができる。
【００４１】
また、図２に示す例において、輸液容器（２０）はその下部（２４）に輸液容器の吊り下げ用穴（２１）が設けられている例が示されているが、本発明においては吊り下げ用フックへの吊り下げは、遮光袋（１００）に設けられた吊り下げ用穴（２）を用いて行なう故に、吊り下げ用穴（２１）は、吊り下げ用としては使用されない。
【００４２】
収納は、輸液バッグもしくは輸液容器（２０）を、その内容液（２３）導出のための口部（２２）を下にして、遮光袋（１００）内部に収容する。輸液バッグもしくは輸液容器（２０）を収納した後、遮光袋（１００）の下辺（１４）はシールされ、図１に示す下辺シール部（４）を形成して、輸液バッグもしくは輸液容器（２０）は、遮光袋（１００）内部に収納、密封される。
【００４３】
この収納において、分岐の折り返し線（１５）から遮光袋上辺（１０）までの遮光袋内側の長さ（Ａ）は、輸液バッグもしくは輸液容器（２０）の高さ（Ｂ）より長くなるようシールし、製袋することができる。
すなわち、
（Ａ）＞（Ｂ）
とすることができる。
【００４４】
これによって、収納された輸液バッグもしくは輸液容器（２０）は、矢印（２５）方向に引き上げられ、その下部（２４）が遮光袋の上辺（１０）に達したときには、輸液バッグもしくは輸液容器（２０）全体を、分岐の折り返し線（１５）より上の領域に納めることができる。
【００４５】
図３は本発明に係る遮光袋の一実施態様を説明し、輸液バッグもしくは輸液容器を、遮光袋に収容した状態を説明するための、平面（一部透視、一部斜視）模式図である。
【００４６】
図３に示す例においては、輸液容器（２０）は、すでに遮光袋（１００）内に収納されており、下辺（１４）は下辺シール部（４）によって密閉された状態である。
【００４７】
このとき、分岐の折り返し線から遮光袋下辺までの遮光袋内側の長さ（Ｃ）は、分岐の折り返し線から分岐の先端部外側までの長さ（Ｄ）より長くなるようシールし、製袋することができる。
すなわち、
（Ｃ）＞（Ｄ）
とすることができる。
【００４８】
これによって、遮光袋（１００）に輸液バッグもしくは輸液容器（２０）を収納した後、収納口であった下辺（１４）を下辺シール部（４）で密封する際に、分岐（５）によって妨げられることなく、下辺シール部（４）を形成して遮光袋を密封することができる。これは下辺シール部（４）形成の工程をより生産性よく、また安定して行なうために有効である。
【００４９】
遮光袋（１００）に収納された輸液バッグもしくは輸液容器（２０）は、一旦下部（２４）が、矢印（２６）の方向に遮光袋（１００）上辺（１０）の近傍まで引き上げられた後、輸液バッグもしくは輸液容器（２０）の下方にある口部（２２）は、その方向を分岐（５）の方向に変えて、矢印（２７）の方向、すなわち分岐（５）下方に移動して収納される。
【００５０】
図４は本発明に係る遮光袋の一実施態様を説明し、輸液バッグもしくは輸液容器を、遮光袋に収容した次の状態を説明するための、平面（一部透視、一部斜視）模式図である。
【００５１】
図４に示す状態のように、輸液容器（２０）は、一旦下部（２４）が、矢印（２６）の方向に遮光袋上辺の近傍まで引き上げられた後、輸液バッグもしくは輸液容器（２０）の口部（２２）は、その方向を分岐（５）の方向に変えて、矢印（２８）の方向、すなわち分岐（５）下方に移動して収納される。
【００５２】
図４に示す例においては、分岐の折り返し線から遮光袋上辺までの遮光袋内側の長さ（Ａ）は、輸液容器の高さ（Ｂ）より長く設けてあるために、収納された輸液容器（２０）は、全てが分岐の折り返し線より上に位置することになり、口部（２２）は、容易にその方向を分岐（５）方向、すなわち図中矢印（２８）の方向に変えて下方に移動させて収納することが可能である。これは、輸液容器（２０）が輸液バッグの場合においても同様である。
【００５３】
図５は本発明に係る遮光袋の一実施態様を説明し、輸液バッグもしくは輸液容器を、遮光袋の分岐部分に収容した状態を説明するための、平面（一部透視、一部斜視）模式図である。
【００５４】
図５に示す状態においては、遮光袋（１００）に収納された輸液容器（２０）は、分岐（５）の下方に移動して、口部（２２）が分岐先端部（１７）にまで接近した状態である。
【００５５】
このとき、遮光袋（１００）下部は、輸液容器（２０）が分岐（５）に収納されて膨らむことによって、図中矢印（２９）に示されるように若干後方に移動する。
【００５６】
図５に示す例においては、分岐先端の先端部シール部（７）には、両側端に切込み（１
６）が設けられ、それに接続して先端部シール部（７）に開封線（８）が、その延長線上の非シール部には開封予定線（９）が設けてあり、切込み（１６）をきっかけにして、開封線（８）、および開封予定線（９）に沿って、図５においては横方向に切り裂くことによって開封し、遮光袋（１００）の分岐先端部（１７）において開口部を設けることができる。
【００５７】
この開封、および開口部の形成は、切込み（１６）をきっかけにして、開封線（８）、および開封予定線（９）に沿って、はさみやカッターなどの器具を用いて行なうことができる。
【００５８】
あるいは、開封線（８）、および開封予定線（９）が易開封機構を備える場合には、手指による開封、開口部の形成も、容易且つ安定して可能なものとなる。
【００５９】
この易開封機構については特段の制約を求めるものではないが、たとえば開封線（８）については、ミシン目やハーフカット等の脆弱部を設けることにより易開封機構とすることができ、開封予定線（９）についても、ハーフカット等の脆弱部を設けることによって易開封機構とすることができる。
【００６０】
この分岐先端部（１７）における開口部の形成と、口部（２２）が分岐先端部（１７）にまで接近した状態であることによって、内容液（２３）の導出のための輸液チューブとの接続が可能となる。
【００６１】
開口部は、輸液バッグもしくは輸液容器（２０）の口部（２２）が露出して、内容液の外部への導出のための輸液チューブとの接続を可能にするための、必要にして十分な開口面積を有することが求められる。
【００６２】
また、開口部は、輸液バッグもしくは輸液容器（２０）が落下することのないように、輸液バッグもしくは輸液容器（２０）の肩部（１９）で保持することが可能な大きさに形成されることが求められる。
【００６３】
図６は本発明に係る遮光袋の一実施態様を説明し、輸液バッグもしくは輸液容器を、遮光袋に収容したのち開封し、吊り下げおよび内容液の導出可能な状態を説明するための、遮光袋を側面から見た状態の平面（一部透視）模式図である。
【００６４】
図６に示す状態においては、遮光袋（１００）は開封され、分岐（５）先端部の開口部において、輸液容器（２０）の口部（２２）と輸液チューブ（３１）とが接続され、内容液（２３）の導出が可能な状態である。
【００６５】
開口部からは、輸液容器（２０）の口部（２２）が下向きに露出して、また遮光袋（１００）上部は開封されることなく吊り下げ用フック（３０）に吊り下げられた状態であって、外光による内容液（２３）への影響は直接的なものではなく、また極めて限定的なものである。
【００６６】
このように、本発明によれば、輸液バッグもしくは輸液容器を覆って収納可能な遮光袋において、開口部が小さく、外部からの光の影響を受けることの少ない遮光袋を提供することが可能である。
【実施例】
【００６７】
以下本発明を、実施例１および比較例１によって更に具体的な説明を加える。ただし本発明は、ここに示す例にのみ限定されるものではない。本発明は、請求項によって限定さ
れるものである。
【００６８】
＜実施例１＞
本発明による遮光袋を作成して評価した。
形状は図４に示す例と同様のものとした。
具体的には、
・輸液バッグもしくは輸液容器を、その内容液導出のための口部を下にして、内部に収容する遮光袋である。
・遮光袋は、遮光性を有する層を含んで、プラスチックフィルムを基材とした積層体からなる。
・前側胴部には、前側胴部から先端部を有して張り出した分岐が形成されており、
・分岐は、分岐の折り返し線で、前側胴部の下方に折り返し可能に、前側胴部上方から連続する積層体と、前側胴部下方から連続する積層体とが重なって、側端部および先端部をシールされてなる。
・分岐の先端部のシール部分には開封線が設けられ、非シール部分には、輸液バッグもしくは輸液容器の口部を露出させるための、開封予定線が輸液バッグもしくは輸液容器が落下しない大きさに、設けられている。
・分岐の折り返し線から遮光袋上辺までの遮光袋内側の長さを（Ａ）として、輸液バッグもしくは輸液容器の高さを（Ｂ）としたとき、
（Ａ）＞（Ｂ）である。
・分岐の折り返し線から遮光袋下辺までの遮光袋内側の長さを（Ｃ）として、分岐の折り返し線から分岐の先端部外側までの長さを（Ｄ）としたとき、
（Ｃ）＞（Ｄ）である。
・分岐先端部には、先端部シール部の両端部に切込み、それに接続する開封線、および非シール部に開封予定線を設けた。
・そのうち、開封線および開封予定線には、易開封機構を設けてあり、易開封部分はレーザー光によるハーフカット加工によって脆弱部を形成して設けた。
【００６９】
遮光袋を構成する積層体の層構成は下記のとおりである。
遮光袋外側から、
無機化合物蒸着付きポリエチレンテレフタレートフィルム（厚さ１２μｍ）／遮光層／直鎖状低密度ポリエチレン（厚さ５０μｍ）
とした。直鎖状低密度ポリエチレンがシーラント層である。
【００７０】
＜比較例１＞
従来より一般的に用いられている遮光袋を評価した。
特徴は、遮光袋上辺の、吊り下げ用穴部分の開封、露出は、周辺を半円形に大きく切り取る方式のものである。
【００７１】
遮光袋を構成する積層体の層構成は下記のとおりである。
遮光袋外側から、
無機化合物蒸着付きポリエチレンテレフタレートフィルム（厚さ１２μｍ）／遮光層／直鎖状低密度ポリエチレン（厚さ５０μｍ）
とした。直鎖状低密度ポリエチレンがシーラント層である。
これは、実施例１と同様である。
【００７２】
評価項目は下記の項目とした。
・遮光性
・吊り下げ性
・充填(収納)適性
・加工性
・価格
・輸送性。
【００７３】
評価結果を表１に示す。
【００７４】
【表１】
2019216833.tif 000003
【００７５】
表１に示す結果から、本発明による遮光袋である実施例１が、従来の遮光袋である比較例１に比較して、遮光性、充填（収納）適性において優れている。したがって、総合評価においても実施例１が優れている〇評価となった。
【００７６】
特に遮光性については、本発明による遮光袋である実施例１が、上部の開封において、吊り下げ用穴を開ける必要がなく、切取り部分もないことによって、開口部をなくすことが可能である。したがって、外部からの光の影響を受けることが極めて少ない遮光袋とすることができる。
【００７７】
従来の遮光袋は、使用時にフックへの吊り下げを行なう際に、遮光袋の上部を大きく切り取って、吊り下げ用穴を露出させる必要があり、この切取り部分が、遮光袋の遮光性を損なうことになる。
【００７８】
この差が、遮光性の評価において、実施例１が〇、比較例１が△の評価の差に繋がったものである。
【００７９】
充填（収納）適性においては、本発明による実施例１が
・分岐の折り返し線から遮光袋下辺までの遮光袋内側の長さを（Ｃ）として、分岐の折り返し線から分岐の先端部外側までの長さを（Ｄ）としたとき、
（Ｃ）＞（Ｄ）である。
としたために、充填後のヒートシール性が、容易かつ生産性に優れるため、良好な評価となった。
【００８０】
充填適性についてはまた、
・分岐の折り返し線から遮光袋上辺までの遮光袋内側の長さを（Ａ）として、輸液バッグもしくは輸液容器の高さを（Ｂ）としたとき、
（Ａ）＞（Ｂ）である。
としたために、遮光袋内での分岐への移動が容易、かつ安定して行なうことができるために、良好な評価となった。
【００８１】
このように、本発明によれば、輸液バッグもしくは輸液容器を覆って収納可能な遮光袋において、開口部が小さく、外部からの光の影響を受けることの少ない遮光袋を提供することが可能であることを検証することができた。
【符号の説明】
【００８２】
１・・・上辺シール部
２・・・吊り下げ用穴
３・・・側辺シール部
４・・・下辺シール部
５・・・分岐
６・・・側端部シール部
７・・・先端部シール部
８・・・開封線
９・・・開封予定線
１０・・・上辺
１１・・・胴部
１２・・・前側胴部
１３・・・後ろ側胴部
１４・・・下辺
１５・・・分岐の折り返し線
１６・・・切込み
１７・・・先端部
１９・・・肩部
２０・・・輸液容器
２１・・・輸液容器の吊り下げ用穴
２２・・・口部
２３・・・内容液
２４・・・下部
２５・・・矢印
２６・・・矢印
２７・・・矢印
２８・・・矢印
２９・・・矢印
３０・・・吊り下げ用フック
３１・・・輸液チューブ
１００・・・遮光袋
Ａ・・・分岐の折り返し線から遮光袋上辺までの遮光袋内側の長さ
Ｂ・・・輸液バッグもしくは輸液容器の高さ
Ｃ・・・分岐の折り返し線から遮光袋下辺までの遮光袋内側の長さ
Ｄ・・・分岐の折り返し線から分岐の先端部外側までの長さ
【図１】
2019216833.tif 000004
【図２】
2019216833.tif 000005
【図３】
2019216833.tif 000006
【図４】
2019216833.tif 000007
【図５】
2019216833.tif 000008
【図６】
2019216833.tif 000009